(57)【特許請求の範囲】
【請求項１】
箸を収納すると共に箸出し入れ部を設けた箸箱本体と、前記箸出し入れ部を開閉する箸蓋からなり、前記箸箱本体の一部分に片持ち状弾性変形部を設け、その弾性変形により前記箸を押圧する箸箱であって、前記箸箱本体の内側両側面に凹溝を設け、Ｊ字状の前記箸蓋の側面が前記凹溝に挿通され、かつ前記弾性変形部に前記箸蓋に設けた突起部が係合することを特徴とする箸箱。
【発明の詳細な説明】
【技術分野】
【０００１】
本発明は、箸を収納する箸箱に関するものである。
【背景技術】
【０００２】
従来の箸箱は箸を収納すると共に箸出し入れ部を設けた箸箱本体と、箸出し入れ部を開閉する箸蓋から構成されていた（例えば特許文献１）。このような従来の箸箱においては携帯時に箸が箸箱内で移動し、箸同士が接触したり、或いは箸が箸箱と接触してがたつき音が発生してしまう。このような問題を解決する手段としては箸箱内で、箸のがたつきとその音を抑える構造としては、箱内空間を出来るだけ小さくしたり、箱内部にポリエチレン樹脂製などの別部材を敷き、箸の動くスペースを出来るだけ少なくするものであった。
【特許文献１】実用新案登録第３０１８０１５号公報
【発明の開示】
【発明が解決しようとする課題】
【０００３】
従来技術では、箸と箸箱が専用の組み合わせのものを固定して使用しない限り、箸のがたつきとその音を抑えることはできない。サイズや形状の違う箸を使う場合、寸法差が生じ、箸のがたつきが生じてしまう。また、箸箱内の箸との隙間を小さくすることにより、箸の出し入れが不便になったり、別部品が追加されることにより、コストアップや洗浄での手間が増えてしまう。さらに別部品は紛失してしまうと、その効果はなくなってしまう。
【０００４】
解決しようとする問題点は、箸を収納すると共に箸出し入れ部を設けた箸箱本体と、前記箸出し入れ部を開閉する箸蓋からなる箸箱において、別部品を使用せずに箸箱本体内に箸を確実に固定できる箸箱を提供する点である。
【課題を解決するための手段】
【０００５】
請求項１の発明は、箸を収納すると共に箸出し入れ部を設けた箸箱本体と、前記箸出し入れ部を開閉する箸蓋からなり、前記箸箱本体の一部分に片持ち状弾性変形部を設け、その弾性変形により前記箸を押圧する箸箱であって、前記箸箱本体の内側両側面に凹溝を設け、Ｊ字状の前記箸蓋の側面が前記凹溝に挿通され、かつ前記弾性変形部に前記箸蓋に設けた突起部が係合することを特徴とする箸箱である。
【発明の効果】
【０００６】
請求項１の発明によれば、箸のサイズや形状が変わっても、箸箱の一部分の弾性変形により、常に一定に箸を押さえつけることができる。また、箸箱又は箸蓋の一部分であるために、紛失したりコストアップとなることもない。さらに、箸が箸箱内で動かないために、箸と箸箱の摩擦によるすれ傷を防止したり、食事後の箸の汚れが箸箱内のいろいろな面に広がることもない。
【０００７】
請求項１の発明によれば、前記弾性変形部に前記箸蓋に設けた突起部が係合するようにしたことにより、弾性変形部を弾性変形せしめて確実に箸を押さえつけることができる。
【発明を実施するための最良の形態】
【０００８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【０００９】
図１〜図３は実施例１を示しており、箸箱１は、断面が略角型の一膳の箸２を収納すると共に後述する箸出し入れ部を設けた合成樹脂製の箸箱本体３と、箸出し入れ部を開閉する合成樹脂製の箸蓋４からなる。箸箱本体３は平面が長方形の底板部５と、長手方向に沿って配置される左右側板部６，７と、長手方向の先端に配置される前板部８とを備え、上方には上部開口部９が形成されていると共に、後方には該上部開口部９と連設した後部開口部10が形成されている。これら上部開口部９と後部開口部10によって、箸出し入れ部が形成されている。さらに、底板部５の後部開口部10側に弾性変形部11が一体に設けられる。この弾性変形部11は、舌状等とも称せられるように、底板部５の後端側においてその左右両側辺11Ａとそれら左右両側辺11Ａの後端間を結ぶ後辺11Ｂに平面がコ字状の切り込み部12を形成することで、平面が矩形状の板状であって、底板部５の後端側の中央部に前側が接続されると共に、後辺11Ｂを自由端とした片持ち状に形成されている。そして、左右側板部６，７の内側には長手方向に添って凹溝13が設けられている。
【００１０】
箸蓋４は、上部開口部９と後部開口部10を覆うことが可能なものであり、上面板部14と、この上面板部14の後端に設けられる後板部15と、この後板部15の下端に設けられた上向きの突起部16とを備えて、正面は略Ｊ字状に形成されている。上面板部14はその左右両側縁４Ａが、後部開口部10から凹溝13に摺動自在に挿入可能であり、突起部16は後板部15の下端より前方へ向けて延設すると共に、斜め上方へ突設している。さらに突起部16の後向きの先端17は前方へ向けて斜め下方に傾斜している。尚、突起部16の左右幅Ａは弾性変形部11の左右幅Ｂと対向するように形成されている。また、弾性変形部11の上面11Ｃは底板部５の上面５Ａと同一平面に形成されているものの、弾性変形部11の厚みＣは底板部５の厚みＤより薄く形成されて、弾性変形部11は弾性変形しやすいようになっている。
【００１１】
次に前記構成についてその作用を説明する。箸蓋４が箸箱本体３より外れて、上部開口部９及び後部開口部10が開放している状態で、一膳の箸２を底板部５上に載置するように箸箱本体３に収納する。そして箸蓋４の左右両側縁４Ａを凹溝13に挿入して摺動すると、上面板部14によって上部開口部９が覆われると共に、後板部15が後部開口部10と対向する。そして箸蓋４を摺動すると先端17側が底板部５の後端に当接して突起部16はやや押し下げられる。さらに箸蓋４を摺動すると突起部16が弾性変形部11の下面に当接すると突起部16の片持ち状の復元弾性力によって弾性変形部11を上方に押し込み嵌合状態で係合し、この結果弾性変形部11に載置されていた箸２を押し上げて、箸２を箸蓋４の裏側に押し付けて固定状態とする。尚、弾性変形部11と突起部16との摩擦によって箸蓋４は箸箱本体３に固定状態に保持されている。
【００１２】
このような箸２の固定状態から、箸２を取り出すときには箸蓋４を後方に摺動することにより、突起部16による弾性変形部11の上方への押圧を解除して、弾性変形部11の上面を底板部５の上面と同一平面状に戻し、そして箸蓋４を箸箱本体３より抜き取ることで上部開口部９と後部開口部10を開放して箸２を取り出すものである。
【００１３】
以上のように前記実施例においては、箸２を収納すると共に上部開口部９、後部開口部10を設けた箸箱本体３と、上部開口部９、後部開口部10を開閉する箸蓋４からなり、箸箱本体３の底板部５に片持ち状弾性変形部11を一体に設け、その弾性変形により箸２を押圧することによって、箸２を箸箱1内で固定することができ、箸２のがたつきを阻止して箸２の磨耗によるすれ傷を防止することができ、さらに箸２の汚れが箸箱1に付着しにくくなる。さらに、箸箱本体３の底板部５に弾性変形部11を片持ち状に一体に設けたので、箸箱本体３と一体成形でき、しかも弾性変形部11を紛失することもない。
【００１４】
さらに、箸箱本体３の左右側板部６，７の内側に凹溝13を設け、Ｊ字状の箸蓋４の側面にある左右両側縁４Ａが凹溝13に挿通され、かつ弾性変形部11に、箸蓋４に設けた突起部16が係合することにより、突起部16により弾性変形部11を箸２側に押し付け箸２を箸蓋４に押し付けて弾性変形部11の弾性変形を利用して確実に固定することができる。
【００１５】
しかも、弾性変形部11は片持ち状であり、さらにその厚みＣは薄く形成されているので、弾性変形がしやすくなっている。
【産業上の利用可能性】
【００１６】
以上のように本発明に係る箸箱は、各種の用途に適用できる。また、弾性変形部は底板部ではなく、側面板部や箸蓋側に設けてもよい。
【図面の簡単な説明】
【００１７】
【図１】本発明の実施例１を示す一部切欠き分解斜視図である。
【図２】本発明の実施例１を示す断面図である。
【図３】本発明の実施例１を示す図２のＸ−Ｘ線断面図である。
【符号の説明】
【００１８】
２ 箸
３ 箸箱本体
４ 箸蓋
６，７ 左右側板部
９ 上部開口部（箸出し入れ部）
10 後部開口部（箸出し入れ部）
11 弾性変形部
13 凹溝
16 突起部
【図１】
0004613936.tif 000002
【図２】
0004613936.tif 000003
【図３】
0004613936.tif 000004